(57)【要約】      （修正有）【課題】枠側ヒンジ部材の幅寸法が小さなかくし蝶番の提供。【解決手段】縦枠２の内側面に取付けられる枠側ヒンジ部材１１に第１アーム５４および第２アーム５５の一端部を回動自在に連結し、ドア側ヒンジ部材２１に第３アーム５９および第４アーム６０の一端部を回動自在に取付ける。第１アーム５４および第２アーム５５の他端部に第１リンク５６を連結し、その第１リンク５６の他端部に連結された第２リンク６１を第４アーム６０の中央部および第３アーム５９の他端部に連結する。第２アーム５５の他端に連設された連結片５５ａを第４アーム６０の他端部に連結し、第１アーム５４および第２アーム５５の揺動運動を第１リンク５６および第２リンク６１を介して第３アーム５９および第４アーム６０に伝え、その第３アーム５９および第４アーム６０の揺動および上記第１アーム５４および第２アーム５５の揺動によりドア側ヒンジ部材２１を開閉させる。【選択図】図６
2008303645.tif 000002
【特許請求の範囲】
【請求項１】
ドア枠における縦枠の内側面に形成された嵌合孔に嵌合される嵌合部を有し、その嵌合部の側面上下に一対の取付片が設けられ、その一対の取付片間に嵌合部の側面で開口する収納凹部が設けられた枠側ヒンジ部材と、
ドアの吊り元側の側面に設けられた嵌合孔に嵌合される嵌合部を有し、その嵌合部の側面上下に一対の取付片が形成され、その一対の取付片間に嵌合部の側面で開口する収納凹部が形成されたドア側ヒンジ部材と、
前記枠側ヒンジ部材の取付片とドア側ヒンジ部材の取付片が正対する衝合状態で各ヒンジ部材の収納凹部内に両端部が配置され、前記枠側ヒンジ部材の収納凹部内に位置する一端部を中心にして揺動可能な平行配置の第１アームおよび第２アームと、
前記枠側ヒンジ部材の取付片とドア側ヒンジ部材の取付片が正対する衝合状態でドア側ヒンジ部材の収納凹部内に全体が収容されて、一端部を中心に揺動可能な平行配置の第３アームおよび第４アームとを有し、
前記第２アームの他端に第４アームの他端部に連結される連結片を連設し、前記第１アームの他端部に第１リンクの一端部を回動自在に連結し、その第１リンクの長さ方向中央部を第２アームの他端部に回動自在に連結し、前記第１リンクの他端部に前記第４アームに対して交差状の配置とされた第２リンクの一端部を回動自在に連結し、その第２リンクの他端部と第３アームの他端部を回動自在に連結し、かつ、第２リンクと第４アームの交差部を回動自在に連結したかくし蝶番。
【請求項２】
前記枠側ヒンジ部材の収納凹部内に台座を組込み、その台座によって調整台を前後方向に移動自在に支持し、その調整台に前記第１アームおよび第２アームの一端部を回動自在に連結し、前記調整台を前後方向に移動させる前後調整手段を設けた請求項１に記載のかくし蝶番。
【請求項３】
前記前後調整手段が、前記台座に形成された円形の支持孔内に回転自在に組込まれた回転体の表面偏心位置に偏心ピンを設け、その偏心ピンを調整台に形成された縦長孔に挿入し、前記回転体の回転による偏心ピンの偏心回転により調整台を前後方向に移動させるようにした構成からなる請求項２に記載のかくし蝶番。
【請求項４】
前記台座を前記枠側ヒンジ部材の一対の取付片を含む仮想平面と直交する左右方向に移動自在に支持し、その台座を左右方向に移動させる左右調整手段を設けた請求項２又は３に記載のかくし蝶番。
【請求項５】
前記左右調整手段が、台座の上下部に一側面から他側面に貫通するねじ孔を形成し、そのねじ孔に前記枠側ヒンジ部材によって回転自在に支持された左右調整ねじをねじ係合し、その左右調整ねじの回転により台座を左右方向に移動させるようにした構成からなる請求項４に記載のかくし蝶番。
【請求項６】
前記ドア側ヒンジ部材の収納凹部内に前記第３アームおよび第４アームの一端部が回動自在に連結される支持台を組込み、その支持台の奥側の側面上部に傾斜面を設け、その傾斜面に面接触する傾斜面が形成された一対のカム部材を前記収納凹部内に組込み、各カム部材に傾斜面から背面側に貫通するねじ孔を形成し、そのねじ孔にドア側ヒンジ部材によって回転自在に支持された上下調整ねじをねじ係合し、その上下調整ねじの回転によりカム部材を左右方向に移動させて傾斜面の接触によりカム部材と支持台を相対的に上下方向に移動させるようにした請求項１乃至５のいずれかの項に記載のかくし蝶番。
【発明の詳細な説明】
【技術分野】
【０００１】
この発明は、ドアを開閉自在に支持するかくし蝶番に関するものである。
【背景技術】
【０００２】
この種のかくし蝶番として、図１０乃至図１３に記載されたものが従来から知られている。このかくし蝶番は、枠側ヒンジ部材７０とドア側ヒンジ部材８０のそれぞれにコの字形嵌合部７１、８１と、その嵌合部７１、８１の両端から上下方向に向く一対の取付片７２、８２とを設け、各嵌合部７１、８１内にリンク連結部材７３、８３を組込み、上記枠側ヒンジ部材７０のリンク連結部材７３とドア側ヒンジ部材８０のリンク連結部材８３を枠側リンク７４とドア側リンク８４によって開閉自在に連結した構成とされている。
【０００３】
ここで、枠側リンク７４とドア側リンク８４のそれぞれはほぼへの字形とされてピン９０で相対的に回動自在に連結され、枠側リンク７４の一端部は枠側リンク連結部材７３の一側面に形成されたリンク収容溝７５内に挿入されてピン７６で回動自在に連結され、他端部に設けられた固定ピン７７がドア側リンク連結部材８３の背面に形成されたリンク収容溝８５の上下のガイド溝８６内にスライド自在に挿入されている。
【０００４】
また、ドア側リンク８４の一端部はドア側リンク連結部材８３の一側面に形成されたリンク収容溝８７内に挿入されてピン８８で回動自在に連結され、他端部に設けられた固定ピン８９が枠側リンク連結部材７３の背面に形成されたリンク収容溝７８の上下のガイド溝７９内にスライド自在に挿入されている。
【０００５】
上記のかくし蝶番においては、図１２および図１３に示すように、ドア枠における縦枠１の内側面に形成された嵌合孔４に枠側ヒンジ部材７０の嵌合部７１を嵌合して取付片７２を上記縦枠２にねじ止めし、一方、ドア側ヒンジ部材８０の嵌合部８１をドア３の吊り元側の側面に形成された嵌合孔６に嵌合して取付片８２をドア３の側面にねじ止めする取付けであるため、ドア３の閉鎖状態では外部から見えることがなく、ドア周りの体裁が良好であるという特徴を有する。
【発明の開示】
【発明が解決しようとする課題】
【０００６】
ところで、上記従来のかくし蝶番においては、ドア３の開閉時にリンク７４、８４の他端部に設けた固定ピン７７、８９をガイド溝７９、８６に沿ってスライドさせるため、枠側ヒンジ部材７０およびドア側ヒンジ部材８０の取付片７２、８２の側面から嵌合部７１、８１の側面までの左右方向の長さＬが長く、ドア３を１８０°開閉させることができるようにしたかくし蝶番の場合は、幅寸法Ｌが３５ｍｍ以上の長さとされ、ドア枠１の縦枠２としては３５ｍｍを超える幅寸法のものが必要とされる。
【０００７】
ここで、近年の建築物においては、ドア枠１の縦枠２として幅寸法が３５ｍｍ以下のものが多く採用されるようになってきており、このような縦枠２の場合に、その内部に枠側ヒンジ部材７０を組込むことができず、改良すべき点が残されていた。
【０００８】
この発明の課題は、枠側ヒンジ部材の幅寸法が小さなかくし蝶番を提供することである。
【課題を解決するための手段】
【０００９】
上記の課題を解決するために、この発明においては、ドア枠における縦枠の内側面に形成された嵌合孔に嵌合される嵌合部を有し、その嵌合部の側面上下に一対の取付片が設けられ、その一対の取付片間に嵌合部の側面で開口する収納凹部が設けられた枠側ヒンジ部材と、ドアの吊り元側の側面に設けられた嵌合孔に嵌合される嵌合部を有し、その嵌合部の側面上下に一対の取付片が形成され、その一対の取付片間に嵌合部の側面で開口する収納凹部が形成されたドア側ヒンジ部材と、前記枠側ヒンジ部材の取付片とドア側ヒンジ部材の取付片が正対する衝合状態で各ヒンジ部材の収納凹部内に両端部が配置され、前記枠側ヒンジ部材の収納凹部内に位置する一端部を中心にして揺動可能な平行配置の第１アームおよび第２アームと、前記枠側ヒンジ部材の取付片とドア側ヒンジ部材の取付片が正対する衝合状態でドア側ヒンジ部材の収納凹部内に全体が収容されて、一端部を中心に揺動可能な平行配置の第３アームおよび第４アームとを有し、前記第２アームの他端に第４アームの他端部に連結される連結片を連設し、前記第１アームの他端部に第１リンクの一端部を回動自在に連結し、その第１リンクの長さ方向中央部を第２アームの他端部に回動自在に連結し、前記第１リンクの他端部に前記第４アームに対して交差状の配置とされた第２リンクの一端部を回動自在に連結し、その第２リンクの他端部と第３アームの他端部を回動自在に連結し、かつ、第２リンクと第４アームの交差部を回動自在に連結した構成を採用したのである。
【００１０】
ここで、枠側ヒンジ部材の収納凹部内に台座を組込み、その台座によって調整台を前後方向に移動自在に支持し、その調整台に前記第１アームおよび第２アームの一端部を回動自在に連結し、前記調整台を前後方向に移動させる前後調整手段を設けることによって、調整台の前後方向への移動により、ドア側ヒンジ部材を枠側ヒンジ部材に対して前後方向に移動させることができ、そのドア側ヒンジ部材が取付けられるドアを前後方向に取付け位置を調整することができる。
【００１１】
この場合、前後調整手段として、台座に形成された円形の支持孔内に回転自在に組込まれた回転体の表面偏心位置に偏心ピンを設け、その偏心ピンを調整台に形成された縦長孔に挿入し、上記回転体の回転による偏心ピンの偏心回転により調整台を前後方向に移動させるようにしたものを採用することができる。
【００１２】
また、前記台座を前記枠側ヒンジ部材の一対の取付片を含む仮想平面と直交する左右方向に移動自在に支持し、その台座を左右方向に移動させる左右調整手段を設けることによって、台座の左右方向への移動によりドア側ヒンジ部材を枠側ヒンジ部材に対して左右方向に移動させることができ、そのドア側ヒンジ部材が取付けられるドアを左右方向に取付け位置を調整することができる。
【００１３】
この場合、左右調整手段として、台座の上下部に一側面から他側面に貫通するねじ孔を形成し、そのねじ孔に前記枠側ヒンジ部材によって回転自在に支持された左右調整ねじをねじ係合し、その左右調整ねじの回転により台座を左右方向に移動させるようにしたものを採用することができる。
【００１４】
さらに、ドア側ヒンジ部材の収納凹部内に前記第３アームおよび第４アームの一端部が回動自在に連結される支持台を組込み、その支持台の奥側の側面上部に傾斜面を設け、その傾斜面に面接触する傾斜面が形成された一対のカム部材を前記収納凹部内に組込み、各カム部材に傾斜面から背面側に貫通するねじ孔を形成し、そのねじ孔にドア側ヒンジ部材によって回転自在に支持された上下調整ねじをねじ係合することにより、上記上下調整ねじの回転によりカム部材を上下調整ねじの軸方向に移動させることによって、カム部材の傾斜面が支持台の傾斜面に沿って摺動するため、ドア側ヒンジ部材が上下方向に移動し、ドア側ヒンジ部材が取付けられるドアを上下方向に取付け位置を調整することができる。
【発明の効果】
【００１５】
上記のように、この発明に係るかくし蝶番においては、枠側ヒンジ部材に平行配置の第１アームと第２アームの各一端部を回動自在に連結し、ドア側ヒンジ部材に平行配置の第３アームと第４アームの各一端部を回動自在に連結し、上記第１アームと第２アームの他端部を連結する第１リンクの他端部と第３アームの他端部とを第２リンクで連結し、さらに、第２アームの他端に連設された連結片の端部と第４アームの他端部を連結し、その第４アームと第２リンクの交差部を連結したことにより、第１アームおよび第２アームが揺動すると、その揺動運動は第１リンクおよび第２リンクを介して第３アームおよび第４アームに伝達されて、その第３アームおよび第４アームが平行状態を保って揺動することになる。
【００１６】
このため、第１アームと第２アームの揺動範囲を９０°以上とし、かつ、第３アームおよび第４アームの揺動範囲を９０°以上とすることによって、枠側ヒンジ部材に対しドア側ヒンジ部材を１８０°開閉させることができる。
【００１７】
また、第１アーム乃至第４アームの揺動によってドア側ヒンジ部材を開閉させる構成であるため、第１アームおよび第２アームが連結される枠側ヒンジ部材の幅寸法を小さくすることができ、幅寸法の小さな縦枠に対して組込み可能なかくし蝶番を得ることができる。
【発明を実施するための最良の形態】
【００１８】
以下、この発明の実施の形態を図面に基づいて説明する。図１乃至図４に示すように、この発明に係るかくし蝶番は、ドア枠１の縦枠２に取付けられる枠側ヒンジ部材１１と、ドア３の吊り元側の側面に取付けられるドア側ヒンジ部材２１を有する。
【００１９】
図２および図８に示すように、枠側ヒンジ部材１１は、コの字形に曲げ成形された嵌合部１４の両端に上下方向に向く取付片１５を設けたベース枠１２と台枠１３の結合品からなり、上記嵌合部１４の内側が収容凹部１６とされている。
【００２０】
図２に示すように、枠側ヒンジ部材１１の嵌合部１４はドア枠１における縦枠２の内周面に形成された嵌合孔４内に嵌合される。また、取付片１５は、上記嵌合孔４の上方および下方に形成された凹部５に嵌合され、ねじの締付けによって縦枠２に固定される。
【００２１】
図３および図９に示すように、ドア側ヒンジ部材２１は、ヒンジ本体２２と後面パネル２３の結合品からなり、ヒンジ本体２２は一側面および背面が開口する箱形の嵌合部２４の側面開口部の上下に取付片２５を設けた構成とされ、上記嵌合部２４の内側が収容凹部２６とされ、その収容凹部２６の背面開口の一部が上記後面パネル２３の取付けによって閉鎖されている。また、後面パネル２３の一側縁の上下にヒンジ本体２２の取付片２５に衝合される取付片２７が設けられている。
【００２２】
図３に示すように、ドア側ヒンジ部材２１の嵌合部２４はドア３の吊り元側の側面に形成した嵌合孔６内に嵌合され、２枚重ねの取付片２５、２７はその嵌合孔６の上方および下方に形成された凹部７内に嵌合されてねじの締付けによりドア３に固定される。
【００２３】
図２および図４に示すように、枠側ヒンジ部材１１の収容凹部１６内には台座３１が組込まれている。台座３１は収容凹部１６の側面開口に向けて移動自在とされ、左右調整手段３２を操作することによって左右方向に位置調整されるようになっている。
【００２４】
左右調整手段３２は、台座３１の上下部に形成された一対のねじ孔３３のそれぞれに左右調整ねじ３４をねじ係合し、その左右調整ねじ３４の先端部と頭部を収容凹部１６の側面パネル１６ａと、その側面パネル１６ａの前縁上下部に設けられた平面Ｌ形の支持片１６ｂとで回転自在に支持し、上記左右調整ねじ３４の回転によって台座３１を移動させるようにしている。
【００２５】
台座３１の一側面には前後方向に向く案内溝３５が形成され、その案内溝３５内に側面コの字形の調整台３６が嵌合されている。調整台３６は案内溝３５に沿って一定ストローク移動自在とされ、前後調整手段３７を操作することによって前後方向に位置調整されるようになっている。
【００２６】
図１および図４に示すように、前後調整手段３７は、台座３１に段付きの円形の支持孔３８を形成し、その支持孔３８によって回転体３９を回転自在に支持し、その回転体３９の表面偏心位置に設けられた偏心ピン４０を調整台３６に形成された縦長孔３６ａに挿入し、上記偏心ピン４０の端面に形成された係合溝にドライバを係合して回転体３９を回転し、偏心ピン４０の偏心回転により調整台３６を前後方向に移動させるようにしている。
【００２７】
図３および図４に示すように、ドア側ヒンジ部材２１の収容凹部２６内には支持台４１が組込まれている。支持台４１は、コの字形外枠４２と、その外枠４２内に嵌合されて結合されたコの字形の内枠４３とからなる。この支持台４１の側壁には上下方向に長い一対の長孔４４が上下に間隔をおいて形成され、各長孔４４にドア側ヒンジ部材２１に固定されたガイドピン４５が嵌合され、そのガイドピン４５と長孔４４の嵌合によってドア側ヒンジ部材２１と支持台４１は相対的に上下方向に移動自在とされている。
【００２８】
ドア側ヒンジ部材２１と支持台４１は、図３に示す上下調整手段４６によって上下方向に相対移動される。上下調整手段４６は、支持台４１の奥側の側面上部に傾斜面４７を形成し、ドア側ヒンジ部材２１の収容凹部２６内の上部に、その収容凹部２６の上面および前後内面に沿って左右方向に移動可能なカム部材４８を組込み、そのカム部材４８に上記傾斜面４７に接触する傾斜面４９を設け、上記カム部材４８には傾斜面４９から背面に貫通するねじ孔５０を形成し、そのねじ孔５０にねじ係合した上下調整ねじ５１の両端部をヒンジ本体２２の側面パネルと後面パネル２３の取付片２７で回転自在に支持し、上記上下調整ねじ５１の回転によりカム部材４８を左右方向に移動させて、傾斜面４７、４９の接触によりドア側ヒンジ部材２１と支持台４１を上下方向に相対移動させるようにしている。
【００２９】
ここで、図６は、ドア３を閉鎖して枠側ヒンジ部材１１にドア側ヒンジ部材２１を対向させた状態を示す。図６で示すように、枠側ヒンジ部材１１における調整台３６には上下方向に延びる一対のピン５２、５３が前後に間隔をあけて設けられ、その屋内側のピン５２により第１アーム５４の一端部が支持され、そのピン５２を中心として第１アーム５４が揺動自在とされている。
【００３０】
また、屋外側のピン５３により第２アーム５５の一端部が支持され、そのピン５３を中心にして第２アーム５５が揺動自在とされている。上記第１アーム５４と第２アーム５５は前後方向に長く延び、支持台４１の内部に対して出入り可能な第１リンク５６に対する他端部の回転可能な連結によって平行の配置とされ、各ピン５２、５３を中心にして略９０°の範囲で揺動自在とされている。
【００３１】
一方、ドア側ヒンジ部材２１における支持台４１内には上下方向に長く延びる一対のピン５７、５８が前後および左右に間隔をあけて設けられ、その奥側のピン５７により第３アーム５９の一端部が支持され、そのピン５７を中心にして第３アーム５９が揺動自在とされている。また、残りのピン５８により第４アーム６０の一端部が支持され、そのピン５８を中心にして第４アーム６０が揺動自在とされている。
【００３２】
第３アーム５９と第４アーム６０は、上記第１リンク５６の他端部に一端部が回動自在に連結された第２リンク６１に対する他端部の回動自在の連結によって平行の配置とされ、各ピン５７、５８を中心にして略９０°の範囲で揺動自在とされている。
【００３３】
第２アーム５５の他端には連結片５５ａが連設され、その連結片５５ａの端部が第４アーム６０の他端部に回動自在に連結されている。
【００３４】
実施の形態で示すかくし蝶番は上記の構造からなり、図５および図６に示すように、枠側ヒンジ部材１１とドア側ヒンジ部材２１の取付片１５、２５が正対する状態において、ピン５２、５３を中心に第１アーム５４および第２アーム５５を揺動させると、第１アーム５４および第２アーム５５は平行状態を保つ状態で揺動する。その揺動運動は第１リンク５６、第２リンク６１および連結片５５ａを介して第３アーム５９および第４アーム６０に伝達され、第３アーム５９および第４アーム６０がピン５７、５８を中心にして揺動し、枠側ヒンジ部材１１に対してドア側ヒンジ部材２１が回動する。
【００３５】
ここで、枠側ヒンジ部材１１の調整台３６に支持された上記第１アーム５４および第２アーム５５は略９０°の範囲で揺動自在であり、また、ドア側ヒンジ部材２１の支持台４１に支持された第３アーム５９および第４アーム６０も略９０°の範囲で揺動自在であるため、上記第１アーム５４および第２アーム５５の９０°の揺動によって枠側ヒンジ部材１１に対しドア側ヒンジ部材２１を１８０°を回動させることができる。
【００３６】
したがって、実施の形態で示すかくし蝶番によってドア３を開閉自在に支持することにより、そのドア３を図６に示す閉鎖状態から１８０°開放させることができる。ここで、図７はドア３を９０°開放させた状態を示し、また、図４はドア３を１８０°開放させた状態を示す。
【００３７】
実施の形態で示すかくし蝶番のように、第１アーム５４乃至第４アーム６０の揺動によってドア側ヒンジ部材２１を開閉させる構成とすることにより、第１アーム５４および第２アーム５５が連結される枠側ヒンジ部材１１の幅寸法を小さくすることができ、幅寸法の小さな縦枠２に組込みを可能なかくし蝶番を得ることができる。
【００３８】
ここで、上記かくし蝶番によるドア３の支持状態において、図１および図４に示す回転体３９を回転して偏心ピン４０を偏心回転させることにより、調整台３６が前後方向に移動し、その移動は第１アーム５４乃至第４アーム６０を介してドア３に伝達されるため、ドア３の吊り元側を前後方向に位置調整することができる。
【００３９】
また、図２に示す左右調整ねじ３４を回転すると、台座３１が左右方向に移動し、その移動は第１アーム５４乃至第４アーム６０を介してドア３に伝達されるため、ドア３を左右方向に位置調整することができる。
【００４０】
さらに、図３に示す上下調整ねじ５１を回転すると、カム部材４８が左右方向に移動し、そのカム部材４８の移動により、カム部材４８に形成された傾斜面４９が支持台４１の外枠４２に形成された傾斜面４７に沿って移動するため、ドア側ヒンジ部材２１が上下方向に移動することになり、ドア３の吊り元側側部を上下方向に位置調整することができる。
【図面の簡単な説明】
【００４１】
【図１】この発明に係るかくし蝶番により支持されたドアの開放状態を示す側面図
【図２】図１のII−II線に沿った断面図
【図３】図１のIII−III線に沿った断面図
【図４】図１のIV−IV線に沿った断面図
【図５】図１に示すドアを閉鎖させた状態の正面図
【図６】図５のVI−VI線に沿った断面図
【図７】ドアを１８０°開放させた状態の横断平面図
【図８】縦枠側に取付けられる各種部品の分解斜視図
【図９】ドア側に取付けられる各種部品の分解斜視図
【図１０】従来のかくし蝶番により支持されたドアの開放状態を示す側面図
【図１１】図１０のXI−XI線に沿った断面図
【図１２】図１０に示すドアの閉鎖状態を示す
【図１３】図１２のXII−XII線に沿った断面図
【符号の説明】
【００４２】
１      ドア枠
２      縦枠
３      ドア
４      嵌合孔
６      嵌合孔
１１    枠側ヒンジ部材
１４    嵌合部
１５    取付片
１６    収容凹部
２１    ドア側ヒンジ部材
２４    嵌合部
２５    取付片
２６    収容凹部
３１    台座
３２    左右調整手段
３３    ねじ孔
３４    左右調整ねじ
３６    調整台
３６ａ  縦長孔
３７    前後調整手段
３８    支持孔
３９    回転体
４０    偏心ピン
４１    支持台
４７    傾斜面
４８    カム部材
４９    傾斜面
５０    ねじ孔
５４    第１アーム
５５    第２アーム
５５ａ  連結片
５６    第１リンク
５９    第３アーム
６０    第４アーム
６１    第２リンク
【図１】
2008303645.tif 000003
【図２】
2008303645.tif 000004
【図３】
2008303645.tif 000005
【図４】
2008303645.tif 000006
【図５】
2008303645.tif 000007
【図６】
2008303645.tif 000008
【図７】
2008303645.tif 000009
【図８】
2008303645.tif 000010
【図９】
2008303645.tif 000011
【図１０】
2008303645.tif 000012
【図１１】
2008303645.tif 000013
【図１２】
2008303645.tif 000014
【図１３】
2008303645.tif 000015